(57)【要約】【課題】  閲覧者に対してのみＷＥＢコンテンツを発信したい発信者に対して、該ＷＥＢサイトを閲覧するためのアクセスカードを発行し、該アクセスカードを、発信者が自ら限定された閲覧者に対してのみ配布することで、特定の閲覧者のみにＷＥＢコンテンツを発信することができるようにしたＷＥＢサイトの閲覧方法及び運営方法を提供せんとするものである。【解決手段】  ＷＥＢサイトに特定の期間にのみアクセス可能なパスワードを設定した後、該ＷＥＢサイトのＵＲＬ・ＩＤ・パスワードを含む情報を印刷等の手段により表示したアクセスカードを発行し、該アクセスカードをもとに閲覧者に前記ＷＥＢサイトへアクセスさせることで、アクセスカードを持つ人のみが設定された期間中に限り掲載されているコンテンツを閲覧出来るようにしたことを特徴とする。【選択図】      図１
2008250863.tif 000002
【特許請求の範囲】
【請求項１】
ＷＥＢサイトに特定の期間にのみアクセス可能なパスワードを設定した後、該ＷＥＢサイトのＵＲＬ・ＩＤ・パスワードを含む情報を印刷等の手段により表示したアクセスカードを発行し、該アクセスカードをもとに閲覧者に前記ＷＥＢサイトへアクセスさせることで、アクセスカードを持つ人のみが設定された期間中に限り掲載されているコンテンツを閲覧出来るようにしたことを特徴とするアクセスカードを用いたＷＥＢサイトの閲覧及び運営方法。
【請求項２】
アクセスカードは、ＷＥＢサイトの運営者よりＷＥＢサイトにコンテンツを掲載する発信者に対し配布され、該アクセスカードを発信者が所望の人にのみ配布することで、発信者の希望する人のみが特定の期間にＷＥＢサイトに掲載したコンテンツを閲覧することが出来るようにしたことを特徴とする請求項１記載のアクセスカードを用いたＷＥＢサイトの方法及び運営方法。
【請求項３】
アクセスカードに表示されたＵＲＬが、ＱＲコードに代表される各種二次元コード等、文字以外の表示方式で表示されていることを特徴とするアクセスカードを用いたＷＥＢサイトの閲覧及び運営方法。
【請求項４】
ＷＥＢサイトが携帯電話機等の移動端末機で閲覧するに適した形式であることを特徴とする請求項１乃至３のいずれかに記載のアクセスカードを用いたＷＥＢサイトの閲覧及び運営方法。
【発明の詳細な説明】
【技術分野】
【０００１】
本発明は、ＷＥＢサイトへアクセスするため情報、即ちＵＲＬ・ＩＤ・パスワード等の情報を紙片に表示して配布することで、該配布物を受け取った者のみに限定して、ＷＥＢサイトを公開及び運営方法に関する。
【背景技術】
【０００２】
従来、ＷＥＢサイトを介してコンテンツを特定の人にのみ公開するためには、コンテンツ提供者と閲覧者との間で個々に閲覧契約を結び、コンテンツ提供者が閲覧者に対しコンテンツへアクセスするための情報であるＩＤとパスワードを発行する方法が採用されている。これにより、ＷＥＢコンテンツを閲覧したいと思う特定の人のみがＷＥＢコンテンツにアクセスすることが出来るようになるが、コンテンツ提供者が閲覧して欲しいと希望する指定の人にコンテンツを閲覧させるという欲求を満たすことは困難であるという問題がある。
【発明の開示】
【発明が解決しようとする課題】
【０００３】
解決しようとする問題点は、閲覧者に対してのみＷＥＢコンテンツを発信したい発信者に対して、該ＷＥＢサイトを閲覧するためのアクセスカードを発行し、該アクセスカードを、発信者が自ら限定された閲覧者に対してのみ配布することで、特定の閲覧者のみにＷＥＢコンテンツを発信することができるようにしたＷＥＢサイトの閲覧及び運営方法を提供せんとするものである。
【課題を解決するための手段】
【０００４】
前記課題を解決するためにこの発明が採った手段は、ＷＥＢサイトに特定の期間にのみアクセス可能なパスワードを設定した後、該ＷＥＢサイトのＵＲＬ・ＩＤ・パスワードを含む情報を印刷等の手段により表示したアクセスカードを発行し、該アクセスカードをもとに閲覧者に前記ＷＥＢサイトへアクセスさせることで、アクセスカードを持つ人のみが設定された期間中に限り掲載されているコンテンツを閲覧出来るようにしたことを特徴とする。
【０００５】
又、アクセスカードは、ＷＥＢサイトの運営者よりＷＥＢサイトにコンテンツを掲載する発信者に対し配布され、該アクセスカードを発信者が所望の人にのみ配布することで、発信者の希望する人のみが特定の期間にＷＥＢサイトに掲載したコンテンツを閲覧することが出来るようにしたことを特徴とする。
【０００６】
又、アクセスカードに表示されたＵＲＬが、ＱＲコードに代表される各種二次元コード等、文字以外の表示方式で表示されていることを特徴とする。
【０００７】
又、ＷＥＢサイトが携帯電話機等の移動端末機で閲覧するに適した形式であることを特徴とする。
【発明の効果】
【０００８】
本発明によれば、情報発信者に代わって閲覧可能な期間を定めたＷＥＢサイトを作成した後、該ＷＥＢサイトへのアクセス情報、即ちＵＲＬ・ＩＤ・パスワード等を表示したアクセスカードを前記情報発信者に発行し、情報発信者が該アクセスカードを所望の人にのみ配布し、該アクセスカードをもとに閲覧者に該ＷＥＢサイトへアクセスさせることで、情報発信者が希望する者のみに、ＷＥＢコンテンツを公開することが可能となる。又、ＷＥＢサイトの情報をアクセスカード使って開示しているため、メールアドレスを知らない相手に対しても知らせることが出来るという効果を存する。
【発明を実施するための最良の形態】
【０００９】
本発明に係るＷＥＢサイトは、情報を発信したい者（以下単に発信者という。）、ＷＥＢサイトを作成・運営する者（以下単に運営者という。）並びに発信者、運営者を仲介する者（以下単に仲介者という。）の三者の連携により運営され、閲覧可能となっている。運営者により作成されるＷＥＢサイトは、特定の期間にのみアクセス可能なパスワードを設定されており、又、該ＷＥＢサイトのＵＲＬ・ＩＤ・パスワードを含む情報を印刷手段等により表示したアクセスカードが発行される。該ＷＥＢサイトへは、アクセスカードをもとに閲覧者に前記ＷＥＢサイトへアクセスさせるようにしてあるので、アクセスカードを持つ人のみが設定された期間中に限り掲載されているコンテンツを閲覧出来るようになっている。
【実施例１】
【００１０】
以下、結婚式場での活用を例として詳細に説明する。図１は本発明の概念フローチャートを示すものであり、図２はＷＥＢサイトの閲覧に必要なアクセスカードを示すものである。図３は作成されたＷＥＢサイトの一実施例を示すものである。まず、結婚式を控え式場を訪れた新郎新婦(１)を以下単に発信者という。又、実際にＷＥＢサイトを作成・運営する運営業者を以下単に運営者(２)という。又、これら発信者・運営者を仲介する立場にある結婚式場を以下単に仲介者(３)という。尚、作成されたＷＥＢサイトを閲覧する人、即ち、アクセスカードを配布された人を以下単に閲覧者という。
【００１１】
図１を参照しつつＷＥＢサイト作成までのプロセスを説明する。挙式を執り行う結婚式場（紹介者(３)）は、ＷＥＢコンテンツを発信しようとする新郎新婦（発信者(１)）に対し、発信者(１)の希望する者のみに対して結婚式の様子を公開可能なサービスがあることを紹介する(step101)。紹介を受けた発信者(１)は、申込用紙に氏名・挙式日・連絡先等の基本事項と共に、ＷＥＢサイトの画面デザイン、掲載メッセージの種類等を記入(step102)の上、仲介者(３)に対し申込用紙の提出を行う(step103)。申し込み用紙を受け取った仲介者(３)は、該申込用紙に、更に挙式会場名・担当者等の追加情報を記入した上で運営者(２)へと申し込みを行う(step104)。
【００１２】
申込用紙を受理した運営者(２)は、受付処理(step105)を済ませた後、仲介者(３)に対し、申し込みに基づくスタッフ等の手配内容の確認を行う(step106)。又、これを並行して、運営者(２)は、ＷＥＢサイトの作成準備に取りかかる。ここまでの一連の処理はおおよそ挙式の１ヶ月前までに行われるのが好ましい。尚、この間にコンテンツの表現方法等について発信者(１)と運営者(２)との間で調整を行うようにすることも可能である。
【００１３】
ＷＥＢサイトの公開準備を終えた運営者(２)は、該ＷＥＢサイトへアクセスするための情報、即ちＵＲＬ・ＩＤ・パスワードを表示したアクセスカードを作成し、発信者(１)へ直接送付する(step108)。該アクセスカードは例えば図２に示すようなもので、サービスの名称並びに、ＱＲコード、閲覧可能期間、ＩＤ、パスワードと利用者コードが表示されており、ＷＥＢサイトのＵＲＬであることや、該サイトに掲載されているコンテンツが発信者(１)の挙式風景であること等の情報は一切表示されていない。尚、該アクセスカードは、紙片、プラスチックカード等が好ましいが、特定の者が手に取ることの出来るものであれば特に大きさ等は限定されない。又、アクセスカードには、申込者を特定するための利用者コードが表示されており、どの申込者のアクセスカードであるかが判別出来るようになっている。尚、アクセスカードの使用方法については後述する。
【００１４】
前記アクセスカードは概ね挙式の３週間前に発信者(１)が、運営者より直接受け取ることが出来る(step108)。したがって、該アクセスカードを挙式の案内書に同封して送付したり、直接手渡すことで、事前に挙式をみて欲しい人にのみアクセスカードを配布することが出来る。又、発信者(１)が仲介者(３)に該アクセスカードを渡し、披露宴会場で配布してくれるよう手配することも可能である。ここまでが準備段階となる。
【００１５】
挙式の前々日には、運営者(２)より仲介者(３)に対し、挙式の撮影を行う旨の申込を行う(step109)。該申込により挙式に撮影スタッフが同行することが許可される。尚、この手続については仲介者(３)に対してのみ行われ発信者(１)に対しては何等の連絡も必要としない。挙式当日には、運営者(３)が用意した撮影スタッフによる挙式風景の撮影が行われる(step110)。撮影された写真は、挙式終了次第、発信者(１)に見せて確認を行う(step111)。これにより、発信者(１)が意図しない写真がＷＥＢサイトに掲載されるのを防止する。尚、掲載したいコメント等が特にあれば、ここで撮影スタッフに直接通知することで、ＷＥＢサイトに掲載することもできる。
【００１６】
写真の確認が終わり、撮影スタッフより写真の提出を受けた運営者(２)は、該写真を基にＷＥＢサイトのコンテンツの最終調整を行う(step112)。該ＷＥＢサイトが閲覧可能となったら、発信者(１)に対しその旨連絡を行う(step113)。発信者(１)はここで最終確認を行うことが出来る。又、運営者(２)は仲介者(３)に対しても同様の通知を行う(step114)。これで発信者(１)の意図するＷＥＢサイトの作成は完了となる。
【００１７】
続いて閲覧する者について説明する。前記アクセスカードを入手した閲覧者は、ＷＥＢ閲覧可能な端末機、好ましくは携帯電話機を用いてＷＥＢサイトへアクセスする。該アクセスについては、アクセスコードに表示されたＱＲコードをバーコードリーダでスキャンすることで容易に行うことが出来るが勿論これに限られるものではない。アクセスカードに記載の有効期間内に前述のようにＱＲコードをスキャンしてＷＥＢサイトへアクセスすると、ＩＤとパスワードの入力を求められるので、アクセスカード記載のＩＤとパスワードを入力する。尚、有効期間外にアクセスした場合には、正しいＩＤとパスワードの入力が求められ閲覧が出来ないようになっている。
【００１８】
図３は前記ＷＥＢサイトに掲載されたコンテンツを表示した一例である。このように、前記アクセスカードを用いてＷＥＢサイトを閲覧することで、アクセスカードを配布した者の挙式の模様をみることが出来る。したがって、実際に式に列席したかの如く感じることができる。すなわち、式に列席できない遠方の人や、披露宴のみ出席予定の人も、前記取材内容が９０分以内にサイトに掲載されるため、実際に列席していてれば目にしたであろう場面を知ることが出来る。
【００１９】
アクセスカードを披露宴会場で配布するようにした場合、披露宴の進行に伴い司会者が手元のアクセスカードを使ってＷＥＢサイトにアクセスするよう促すことで、会場に居る人全員が同時にＷＥＢサイトを閲覧することが出来る。これにより、新郎新婦の紹介を挙式の模様にあわせて行ったり、場を盛り上げたりすることが出来るようになる。又、メールアドレスを知らない人に対しても、アクセスカードを郵送等の手段により配布することでＷＥＢサイトの存在を確実に知らせることが出来る。
【図面の簡単な説明】
【００２０】
【図１】概念を示すフローチャートを示す図
【図２】アクセスカードを示す図
【図３】ＷＥＢサイトの一実施例を示す図
【符号の説明】
【００２１】
１  発信者
２  運営者
３  仲介者
【図１】
2008250863.tif 000003
【図２】
2008250863.tif 000004
【図３】
2008250863.tif 000005